(57)【特許請求の範囲】
【請求項１】
光ファイバ心線ａを導出入する心線導出入部１１と、該心線導出入部１１から入る心線相互を接続したコネクタｂを収納するコネクタ収納部１２と、心線余長を巻回して収納する心線余長収納部１３とを有する収納トレイ１０の複数枚をそれぞれピン軸部２と軸受部３とからなるヒンジ部によって支持体４に回動自在で、かつ着脱自在に並設して心線接続余長収納ケース１を構成したものであって、前記収納トレイ１０の心線導出入部１１のある側板両端に前記ピン軸部２を対向突設し、また前記支持体４に等間隔で複数並設した軸受部３に上方に開口されたガイド溝３１を形成すると共に、該ガイド溝３１から前記軸受部３に前記ピン軸部２を挿着して各収納トレイ１０を順次折り重ねて多重状態下で前記支持体４に配備し、さらに前記収納トレイ１０の両側板に係止爪部５と係止受部６とを設けて、該収納トレイ１０を複数枚積み重ねたときに、隣接する一方の収納トレイ１０にある前記係止爪部５が、他方の収納トレイ１０にある前記係止受部６に順次係合するようにして各収納トレイ１０を段階状にずらせた多重状態下に前記支持体に傾斜保持するように配備し、この複数枚の前記収納トレイ１０を重ね状態で一括して回動して伏せ、その回動最終段階で各収納トレイ同士が、それぞれの前記係止爪部５と前記係止受部６との係合によって保持固定できる構成としたことを特徴とする心線接続余長収納ケース。
【請求項２】
請求項１に記載の心線導出入部１１のある心線接続余長収納ケース１において、複数のコネクタ保持用のコネクタ収納部１２を有し、各コネクタ収納部１２に保持されたコネクタｂから導出される心線余長を収納トレイ１０内に並設された一対の心線余長収納部１３に分離して巻回させると共に、前記心線導出入部１１に心線を挿通保持する弾性保持部材ｃを係脱自在に嵌着配備してなることを特徴とする心線接続余長収納ケース。
【請求項３】
請求項１または請求項２に記載の心線接続余長収納ケース１において、前記収納トレイ３０の側板３１の中央に水平状態で仕切壁３２を設け、該仕切壁３２の上下両面側にガイドリブ１２１，１３１によって心線導出入部１１と、コネクタ収納部１２と、心線余長収納部１３とを形成してなることを特徴とする心線接続余長収納ケース。
【発明の詳細な説明】
【０００１】
【発明の属する技術分野】
本発明は、通信ケーブル、特に光ファイバ心線を有する光ファイバケーブルの接続部を保護し、心線余長を収納する収納トレイからなる心線接続余長収納ケースに関するものである。
【０００２】
【従来の技術】
従来より、光ファイバケーブルの分岐、引込、接続などを行う場合、ケーブル心線相互を接続すると共に、ケーブル心線の余長分を収納するための心線接続余長収納ケースが用いられている。このケースは、収納トレイに心線を導出入する部分となる心線導出入部と、その心線導出入部から導出入させる幹線用光ファイバケーブルから引き出された光ファイバ心線同士或いは分岐用光ファイバケーブルから引き出された心線とを接続するコネクタ等の接続部が収納されるコネクタ収納部と、さらに接続された心線の余長部分を巻回して保護収納する心線余長収納部とを備えたものが知られている。
特に、このような収納トレイを用いた例として、特許文献〔特開２０００−１２１８４０号公報〕に示すように複数枚の収納トレイを重ねて多重状態下で支持体に配備するものが本願の特許出願人によって提案されている。  
【０００３】
【発明が解決しようとする課題】
ところが、光ファイバケーブルを用いた通信網ではケーブルの高密度、多心化が進むにつれて心線余長収納部ではその容量が不足しがちになり、多数枚重ねられた収納トレイの多様化で心線余長の納まりが悪くなって、心線の光損失が生じ伝送特性に悪影響を与えたり接続分岐に伴う作業がやりにくいし、さらには増設も簡単に対応できずコンパクト化できないといった問題が生じている。
【０００４】
本発明は、これら従来の事情に鑑みてなされたものであり、光ファイバケーブルの伝送特性に悪影響を与えることなく光ファイバケーブルの接続や切り替え或いは分岐接続作業が容易に実施でき、複数の収納トレイを一括して保持固定でき、配線整理を整然とでき、かつ収納トレイの更新や増設も楽で、きわめてコンパクトに接続部を安定収納することができる取扱い簡便な心線接続余長収納ケースを安価な形態で提供することを目的とするものである。
【０００５】
【課題を解決するための手段】
上述の課題を解決するために、請求項１の発明は、光ファイバ心線を導出入する心線導出入部と、該心線導出入部から入る心線相互を接続したコネクタを収納するコネクタ収納部と、心線余長を巻回して収納する心線余長収納部とを有する収納トレイの複数枚をそれぞれピン軸部と軸受部とからなるヒンジ部によって支持体に回動自在で、かつ着脱自在に並設して心線接続余長収納ケースを構成したものであって、前記収納トレイの心線導出入部のある側板両端にピン軸部を対向突設し、また前記支持体に等間隔で複数並設した軸受部に上方に開口されたガイド溝を形成すると共に、該ガイド溝から前記軸受部に前記ピン軸部を挿着して、各収納トレイを順次折り重ねて多重状態下で前記支持体に配備し、さらに前記収納トレイの両側板に係止爪部と係止受部とを設けて、該収納トレイを複数枚積み重ねたときに、隣接する一方の前記収納トレイにある前記係止爪部が、他方の前記収納トレイにある前記係止受部に順次係合するようにして、各収納トレイを段階状にずらせた多重状態下に前記支持体に傾斜保持するように配備し、この複数枚の前記収納トレイを重ね状態で一括して回動して伏せ、その回動最終段階で各収納トレイ同士が、それぞれの前記係止爪部と前記係止受部との係合によって保持固定できる構成としたことを特徴とする。
【０００６】
請求項２の発明は、請求項１に記載の心線導出入部のある心線接続余長収納ケースにおいて、複数のコネクタ保持用のコネクタ収納部を有し、各コネクタ収納部に保持されたコネクタから導出される心線余長を収納トレイ内に並設された一対の心線余長収納部に分離して巻回させると共に、前記心線導出入部に心線を挿通保持する弾性保持部材を係脱自在に嵌着配備してなることを特徴とする。
【０００７】
請求項３の発明は、請求項１または請求項２に記載の心線接続余長収納ケースにおいて、前記収納トレイの側板の中央に水平状態で仕切壁を設け、該仕切壁の上下両面側にガイドリブによって心線導出入部と、コネクタ収納部と、心線余長収納部とを形成してなることを特徴とする。
【０００８】
【作用】
本発明の心線接続余長収納ケースは、光ファイバ心線の接続余長部分を保護収納する複数の収納トレイが互いに回動自在に連結されていて、各収納トレイを重ね状態で一括して回動して伏せ、その回動最終段階で、各収納トレイ同士がそれぞれの係止爪部と係止受部との係合によって保持固定できる構成としてあるので、任意の収納トレイを引き起して開いて心線の接続作業や接続状況の点検、確認、調整などをきわめて容易に行うことができ、心線余長収納終了後に各収納トレイをワンタッチで一括して伏せて保持することができ、その作業性の向上が図れる。
また、各収納トレイは、光ファイバ心線の導出入部のある側板にヒンジ部があって回動するため、収納トレイの回動による光ファイバ心線の長さ変動が少なく納められ、伝送特性に悪影響を及ぼすことがない。
しかも、心線接続後に上側の収納トレイを回動させて元の位置に戻しても光ファイバ心線に弛みが生じないし、心線に過度に屈曲することがなく曲率半径の小さい円弧状部分をも生じないで収納でき安全な保護ができる。
さらに、収納トレイを複数積み重ねたときに、隣接する一方の収納トレイにある係止爪部が、他方の収納トレイにある係止受部に順次係合して段階状にずらせた多重状態下に前記支持体に傾斜保持するようにしてなることにより、配線整理が整然とでき、しかも心線識別がらくであり、かつ連結した収納トレイを別個に外すこともでき、収納トレイの更新並びに増設が容易にできる。
【０００９】
【発明の実施の形態】
本発明の実施例を図面を用いて説明すると、心線接続余長収納ケース１は複数枚の同形の収納トレイ１０からなり、該収納トレイ１０内に光ファイバ心線ａを導出入する心線導出入部１１と、該心線導出入部１１から入る心線相互を接続したコネクタｂを収納するコネクタ収納部１２と、心線余長を巻回して収納する心線余長収納部１３とを備えると共に、この収納トレイ１０を複数枚を段階状にづらせて多重に積み重ねた状態下で支持体４に傾斜保持するようにしたものである。
【００１０】
そして、前記収納トレイ１０は、合成樹脂により一体成形された成形品であり、図１及び図２に示すように、略長方形状の外形を有し、内面側が同一形状に形成されたもので、前記収納トレイ１０の心線導出入部１１のある側板の両サイドにピン軸部２を対向して突設し、支持体４に設けたピン挿着用の軸受部３，３とを一組としてヒンジ部とし、各収納トレイ１０を重ねた状態において、一方の収納トレイ１０の係止爪部５を他方の収納トレイ１０の係止受部６に嵌挿して両収納トレイ１０を互いに傾斜保持してなるものである。
【００１１】
前記収納トレイ１０としては、図３乃至図６に示すように４心一括収納タイプとしたもので、心線ａの接続用コネクタｂが収納保持されるコネクタ収納部１２と、該コネクタ収納部１２に保持された接続用コネクタｂから導出される心線余長を引き廻し、ループ状に巻回させて保持する心線余長収納部１３とをガイドリブ１２１，１３１の仕切壁により区画して備えた略長方形の収納トレイ１０を用いる。
この収納トレイ１０の外壁側面部の両サイドに設けた一対のピン軸部２と、支持体４に設けた一対の軸受部３とからなるヒンジ部によって隣接される収納トレイ１０を互いに支持体４に回動自在、例えば１２０〜１５０度回動でき、かつ着脱自在に連結して上下方向に多段に重ねて配備する。
そして、隣接される各収納トレイ１０の心線導出入部１１のある側板両端にピン軸部２を対向突設し、また前記支持体４に等間隔で複数並設した軸受部３に上方に開口されたガイド溝３１を形成すると共に、該ガイド溝３１から軸受部３に前記ピン軸部２を挿着して各収納トレイ１０を順次折り重ねて多重状態下で前記支持体４に配備し、さらに前記収納トレイ１０の両側板に係止爪部５と係止受部６とを設けて、該収納トレイ１０を複数枚積み重ねたときに、隣接する一方の前記収納トレイ１０にある前記係止爪部５が、他方の前記収納トレイ１０にある係止受部６に順次係合するようにし、各収納トレイ１０を段階状にずらせた多重状態下に前記支持体４に傾斜保持するように配備し、この複数枚の収納トレイ１０を重ね状態で一括して回動して伏せ、その回動最終段階で各収納トレイ同士が、それぞれの前記係止爪部５と前記係止受部６との係合によって保持固定できる構成としてある。
【００１２】
また、前記収納トレイ１０に形成した舌状の係止片１４のある心線導出入部１には、分離スリットのある心線挿通孔を設けた弾性保持部材ｃを圧入嵌合して心線ａの支持を確実にしてあり、この弾性保持部材ｃは心線径或いは心線数に応じた挿通孔のあるものを選んで用いられる。
さらにコネクタ収納部１２及び心線余長収納部１３にはガイドリブ１２１，１３１及び側壁を選んで心線の浮きを阻止する心線係止片１５或いは係止爪１６を一体成形して余長の心線ａや心線接続部となるコネクタｂを収納トレイ１０内に確実に保持できるようにしてあって、各収納トレイ１０毎に心線ａを分離整理収納し、ケーブル挿入部からファイバ心線の曲げが極少で心線収納時のねじれをも防止でき、安全かつ高密度収納で高信頼性が得られる。
【００１３】
この場合、多段にずらせて積み重ねられた収納トレイ１０の中から所望の収納トレイ１０の上段側の収納トレイ１０の係止爪部５を係止受部６から外せば、ピン軸部２と軸受部３とからなるヒンジ部を支点として収納トレイ１０が回動でき、重ね合せ面を開くことができて下段側の収納トレイ１０の内面側が露出されて収納心線の接続配線作業が容易にできる。
【００１４】
さらに、一方の収納トレイ１０を他方の収納トレイ１０に連結するときは、ピン軸２を軸受部３のガイド溝３１に挿入して軽く押し込めば、軸受部３がその押力で弾性変位して、軸孔に容易に嵌込まれて回動自在に連結され、収納トレイ１０を複数積み重ねたときに隣接する一方の収納トレイ１０にある係止受部５が他方の収納トレイ１０にある係止受部６に順次係合して段階状にずらせた多重状態下に前記支持体４に傾斜保持することで固定される。
また取り外しの際には、ピン軸部２を軸受部３のガイド溝３１から容易にガイド溝３１に移し替えられ、ピン軸部２が軸受部３から抜き出し簡単に外すことができ、収納トレイ１０内の心線の点検、修理、接続の各作業が簡便に行うことができる。
【００１５】
なお、前記心線導出入部１１は、片側に設けたシングルタイプに限らず両側に対に設け、即ち四隅に設けたダブルタイプのものを用いることもできるし、しかも合成樹脂の射出成形により、収納トレイ１０を略正方形、長方形の四角形または楕円形に形成されるので、コネクタ収納部１２に隣接される心線余長収納部１３には所定間隔に配列されるケーブル押え用の心線係止片１５で伝送特性に悪影響が及ばないように、心線がなめらかに湾曲したループ状に巻回保持できるように配備してある。
【００１６】
前記収納トレイ１０の複数枚を重ね合わせて心線接続余長収納ケース１として、図６に示すようにベース部材２０とカバー部材２１とからなる円筒状のクロージャ２２内に組み込まれて用いられるが、収納トレイ１０を軸支した支持体４が取付部材９を介して設けられる支板８に固定され、前記ベース部材２０の挿通孔１にゴム様弾性材例えば、熱可塑性ゴム組成物からなるケーブルシール２３を嵌入して、該ケーブルシール２３に前記ケーブルＡを液密的に貫通させ、該ケーブルＡに前記ベース部材２０の内面に形成されたケーブル把持金具２４に着脱自在に配備する。
この場合、前記カバー部材２１の外周面に前記ベース部材２０を嵌合してヒンジで開閉自在のバンド２５を嵌着してバックルで締付けてベース部材２０と、カバー部材２１とをパッキン（図示せず）を介して接続連結してある。
【００１７】
このクロージャ２２の例で説明すると、ベース部材２０を介して幹線光ケーブルＡが貫通されてケーブル把持金具２４で固定され、かつ、該ケーブルのテンションメンバが、テンションメンバ把持金具２４１に接続連結される。前記カバー部材２１は、ベース部材２０に収納トレイ１０を内装状態下で突き合わせ密封結合して連結一体化するようになっている。
【００１８】
なお、収納トレイ１０に設けた係合ノブ７は操作把手として使用し、かつ収納トレイ１０が複数積み重ねられたときに必要に応じ、ハンド或いは支杆（図示せず）などを嵌挿してベース部材２０に連結固定保持するために用いてもよいし、上下段ごとに連結ボスを嵌装して連結する形態とすることもできる。
【００１９】
以上の構成からなる収納トレイ１０において、ケーブルＡから分岐した心線ａは収納トレイ１０のいずれか一方の第１出入口の心線導出入部１１から入ると、ガイドリブ１２１，１３１の間の心線通路を通るとともに心線押さえ用の係止片１５により押されて、いずれかの心線余長収納部１２内に入る。心線ａが心線余長収納部１３等内に入るときは、前記ガイドリブ１３１で形成された出入口を通る。そして、心線ａは前記係止片１５によって押さえられると共に、ガイドリブ１３１の回りを巻回され、かつコネクタ収納部１２の差込ガイドリブ１２１に取り付けられたコネクタｂに接続される。このコネクタｂから出る心線ａは、その心線余長収納部１３を通って、他方の第２出入口の心線導出入部１１からケース外部に出る。
なお、前記心線ａを押える前記係止片１５は、２本上下に分けて、例えば１／２或いは２／３，１／３の位置などに振り分けて突設し、心線ａを通する際に上側の係止片１５と、下側の係止片１５とに分けて通過させるようにし、増設時での配線に各心線ａの干渉をなくした安全な配線ができるようにすることが考慮されている。
【００２０】
このように、心線導出入部１１の一方側から心線ａを入れる場合に、心線余長収納部１３に収納したときは、他方の心線導出入部１１側に出すことができる。
なお、心線導出入部１１の一方側から心線ａを入れて心線余長収納部１３に収納する場合、心線ａの巻回の仕方によって、両方の心線導出入部１１のいずれの側にも出すこともできる。
以上のように、いずれかの心線導出入部１１から心線ａを収納トレイ１０内に入れることができ、かつ心線ａの曲率を小さくすることなく（過負荷を加えることなく）、入口側となった心線導出入部１１と同一の又は異なる心線導出入部１１を出口側として出すことができる。これにより、心線の出入口側を自在として、光ケーブル用クロージャ内での心線の配線の便宜を図ることができる。
【００２１】
ここで、心線導出入部１１には、貫通穴が形成されたゴム等の弾性変形可能な弾性保持部材ｃ（図３参照）が設けられ、心線ａは、この貫通穴を通って収納トレイ１０内に入り、かつ収納トレイ１０外に出る。この心線支持用の弾性保持部材ｃは係止片１４により保持される。
このように弾性保持部材ｃを心線導出入部１１に介在させれば、心線ａが心線導出入部１１を通るときに、心線ａがトレイ本体に擦れることが防止でき、引張衝撃等をも確実に防止することができる。
【００２２】
そして、収納トレイ１０は、光ケーブル用クロージャ内に順次積み重ねられるようにして実装される（図６参照）。この積み重ねには、（トレイ本体上面）側が上側となり、係合用の係止爪部５が下側となるようにする。そして、下側の収納トレイ１０の係止受部６に入れれば、重なり合う収納トレイ１０同士をネジ止め等することなく連結することができ、心線接続余長収納ケース１とすることができる。例えば、各収納トレイ１０を起して開いた状態から一端の収納トレイ１０を回動して伏せると、つぎつぎに他の収納トレイ１０も将棋倒しに伏せられて、複数の収納トレイ１０が一括してそれぞれの係止爪部５と係止受部６によって係止保持固定できる。
【００２３】
図７乃至図１０の実施例では、心線接続余長収納ケース１として構成する収納トレイ３０が、表裏両面を心線ａの収納部として使用しうる形態とした例で、トレイ本体の側板３１の中央に水平状態で仕切壁３２を設け、該仕切壁３２の上下両面側にガイドリブによって心線導出入部１１と、コネクタ収納部１２と、心線余長収納部１３とを形成すると共に、ピン軸部２、係止爪部５、係合受部６、ガイドリブ１２１，１３１、係止片１４，１５を一体形成する構成は、前例と同様となっていて各分岐心線ａの干渉をなくして、安全に心線余長の収納ができる。
なお、前記心線余長収納部１３などは片面に２つ形成してあるが、１つ或いは２つ以上並設したタイプとすることもできる。
そして、複数並設した場合には、隣接される心線余長収納部１３に連通路をガイドリブ１２１，１３１で形成して折り返えし巻回でき、心線ａの導出入の自由度を高めることも配慮される。
【００２４】
【発明の効果】
本発明は、請求項１の発明によれば、収納トレイの心線導出入部のある側板両端にピン軸部を対向突設し、また前記支持体に等間隔で複数並列した軸受部に上方に開口したガイド溝を形成すると共に、該ガイド溝から軸受部に前記ピン軸部を挿着して各収納トレイを順次折り重ねて多重状態下で前記支持体に配備し、この複数枚の収納トレイの両側板に係止爪部と係止受部とを設けて、該収納トレイを複数枚積み重ねたときに、隣接する一方の前記収納トレイにある係止爪部が、他方の前記収納トレイにある係止受部に順次係合するようにし、各収納トレイを段階状にずらせた多重状態下に前記支持体に傾斜保持するように配備し、この複数枚の収納トレイを重ね状態で一括して回動して伏せ、その回動最終段階で各収納トレイ同士が、それぞれの前記係止爪部と前記係止受部との係合によって保持固定できる構成としたことで、上下の収納トレイのヒンジ連結の係脱が簡便にできて、簡単に多段に積み重ねることができ、しかも複数枚重ねられた収納トレイは心線導出入部の側板を中心に互いに回動自在に連結されているので、心線接続作業後に任意の収納トレイを開いて収納されている光ファイバ心線を迅速に取り出すことができ、また複数枚の収納トレイを一括して回動して固定保持できるので、作業簡便で著しく良好であり、心線識別も容易で接続部の再調整や修理など簡単に行うことができ、作業性を大幅に向上すると共に、収納トレイを必要なだけ複数に積み重ねてずらすことができると共に、多段に積み重ねられた収納トレイ全体の確認作業の簡易化と、収納トレイ間を的確に保持できて安全性も高められる。
しかも本発明によれば、心線の分岐、引込の際に収納トレイへの心線導出入の自由度があって作業上、心線接続部へのアクセスが簡便化できると共に、収納トレイの配備がコンパクト化でき、管理や組立分解作業も容易に行なえ、かつ高密度・高信頼性が得られる。  また、請求項２の発明によれば、心線余長の収納が収まり良くでき心線の巻回収納にも余裕があり、しかも心線の保持も緩衝的に行なわれているので、心線に弛みが生じないし、各収納トレイを回動させ展開しても収納した光ファイバの余長部の長さの変化が少ないので、光ファイバの余長部の長さの変化が少なく、光ファイバ心線に無理な屈曲や小円弧が発生することなく光損失をなくして伝送特性を良好な保つことができる。
さらに、請求項３の発明によれば、必要なだけ多段に積み重ねた収納トレイ同士が外れたりずれたりすることなく、心線余長の収納に干渉が生ずることなく安全に取扱うことができ、しかも簡単確実に結合されて識別容易な心線接続余長収納ケースとしてクロージャ内に保持できるので、心線余長収納での高信頼性が得られるし、収納トレイ相互間をネジ止め等することなく脱着でき取扱いも著しく容易化でき、かつコンパクト化が図れる。
【図面の簡単な説明】
【図１】  本発明の一実施例である心線接続余長収納ケースの展開斜視図であって、トレイの一部を開いて内面側を示す図である。
【図２】  図１に示す使用状態を示す側面図である。
【図３】  図２に示す状態の上方から見た平面図である。
【図４】  図３に示す心線接続余長収納ケースを支持体と分離した状態図であって、（ａ）は平面図、（ｂ）は収納トレイの底面図である。
【図５】  図４の例の各部分を拡大して示し、（ａ）はＡ−Ａ線における拡大縦断面図、（ｂ）はＢ−Ｂ線における部分拡大縦断面図、（ｃ）は収納トレイの全体の側面図である。
【図６】  図１乃至図５の例の心線接続余長収納ケースをクロージャに組み込んだ一使用状態の縦断面図である。
【図７】  本発明の他の実施例を示し、４心分離収納の心線接続余長収納ケースの平面図である。
【図８】  図７の例の底面図である。
【図９】  図７のＣ−Ｃ線における拡大縦断面図である。
【図１０】  図７の例の正面図である。
【符号の説明】
Ａ          光ケーブル
ａ          心線
ｂ          コネクタ
ｃ          弾性保持部材
１          心線接続余長収納ケース
２          ピン軸部
３          軸受部
４          支持体
５          係止爪部
６          係止受部
７          係合ノブ
８          支板
９          取付部材
１０        収納トレイ
１１        心線導出入部
１２        コネクタ収納部
１２１，１３１    ガイドリブ
１３        心線余長収納部
１４        係止片
１５        係止片
１６        係止爪
２０        ベース部材
２１        カバー部材
２３        ケーブルシール
２４        ケーブル把持金具
２４１      テンションメンバ把持金具
２５        バンド
３０        収納トレイ
３１        側板
３２        仕切壁
【図１】
0004162833.tif 000002
【図２】
0004162833.tif 000003
【図３】
0004162833.tif 000004
【図４】
0004162833.tif 000005
【図５】
0004162833.tif 000006
【図６】
0004162833.tif 000007
【図７】
0004162833.tif 000008
【図８】
0004162833.tif 000009
【図９】
0004162833.tif 000010
【図１０】
0004162833.tif 000011